【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
第１レーザ光を出射する第１光源と、
第２レーザ光を出射する第２光源と、
光ディスクに前記第１レーザ光を照射する第１対物レンズと、
前記光ディスクに前記第２レーザ光を照射する第２対物レンズと、
前記第２レーザ光の前記光ディスクからの反射光を受光する受光手段と、
前記受光手段で受光した反射光からＲＦ信号を生成する信号生成手段と、
前記反射光の光量または前記ＲＦ信号の振幅量を測定して前記光ディスク面上のディフェクト有無の検知を行うディフェクト検出手段と、
前記第１対物レンズのトラッキング制御を行い、前記第１レーザ光で前記光ディスクに記録または再生する制御部と、を備え、
前記制御部は、前記光ディスクの記録または再生する領域に、前記第１レーザ光に基づくスポットと前記第２レーザ光に基づくスポットを、前記第２レーザ光に基づくスポット、前記第１レーザ光に基づくスポットの順に通過させ、
前記第２レーザ光に基づくスポットにより前記ディフェクト有無の検知を行い、ディフェクトがあると判断した場合には、前記第１レーザ光が前記ディフェクトを通過するまでの間、前記第１対物レンズのトラッキング制御を中断することを特徴とする光ディスク装置。
【請求項２】
第１レーザ光を出射する第１光源と、
第２レーザ光を出射する第２光源と、
光ディスクに前記第１レーザ光を照射する第１対物レンズと、
前記光ディスクに前記第２レーザ光を照射する第２対物レンズと、
前記第２レーザ光の前記光ディスクからの反射光を受光する受光手段と、
前記受光手段で受光した反射光からＲＦ信号を生成する信号生成手段と、
前記反射光の光量または前記ＲＦ信号の振幅量を測定して前記光ディスク面上のディフェクト有無の検知を行うディフェクト検出手段と、
前記第１対物レンズのトラッキング制御を行い、前記第１レーザ光で前記光ディスクに記録または再生する制御部と、を備え、
前記制御部は、前記光ディスクの記録または再生する領域に、前記第１レーザ光に基づくスポットと前記第２レーザ光に基づくスポットを、前記第２レーザ光に基づくスポット、前記第１レーザ光に基づくスポットの順に通過させ、
前記第２レーザ光に基づくスポットにより前記ディフェクト有無の検知を行い、ディフェクトがあると判断した場合には、前記第１レーザ光が前記ディフェクトを通過するまでの間、前記第１光源の出力を下げることを特徴とする光ディスク装置。
【請求項３】
前記第２レーザ光は、前記第１レーザ光と異なる波長であることを特徴とする請求項１、２のいずれか１項に記載の光ディスク装置。
【請求項４】
前記制御部は、前記第１レーザ光が前記ディフェクトを通過する直前に、前記第１対物レンズの制御を中断することを特徴とする請求項３記載の光ディスク装置。
【請求項５】
前記制御部は、前記第１レーザ光が前記ディフェクトを通過する直前に、前記第１レーザの光量を下げることを特徴とする請求項３記載の光ディスク装置。
【請求項６】
前記制御部は、前記第２レーザ光の反射光に基づくＲＦ信号振幅または反射光レベルの少なくとも一方が所定の閾値より下回った時に、ディフェクト有りと判断することを特徴とする請求項３記載の光ディスク装置。
【請求項７】
前記制御部は、前記第１レーザ光と前記第２レーザ光を同時に発することを特徴とする請求項３記載の光ディスク装置。
【請求項８】
前記第１レーザ光の波長はブルーレイディスク用の波長であり、前記第２レーザ光の波長はＤＶＤ用もしくはＣＤ用の波長であることを特徴とする請求項３記載の光ディスク装置。
【請求項９】
第１レーザ光と第２レーザ光とを発する光ディスク装置の制御方法であって、
光ディスクの記録または再生する領域に、前記第１レーザ光に基づくスポットと前記第２レーザ光に基づくスポットを、前記第２レーザ光に基づくスポット、前記第１レーザ光に基づくスポットの順に通過させ、
前記第２レーザ光に基づくスポットにより前記ディフェクト有無の検知を行い、ディフェクトがあると判断した場合には、前記第１レーザ光が前記ディフェクトを通過するまでの間、前記光ディスクに前記第１レーザ光を照射する第１対物レンズのトラッキング制御を中断することを特徴とする光ディスク装置の制御方法。
【請求項１０】
第１レーザ光と第２レーザ光とを発する光ディスク装置の制御方法であって、
光ディスクの記録または再生する領域に、前記第１レーザ光に基づくスポットと前記第２レーザ光に基づくスポットを、前記第２レーザ光に基づくスポット、前記第１レーザ光に基づくスポットの順に通過させ、
前記第２レーザ光に基づくスポットにより前記ディフェクト有無の検知を行い、前記第１レーザ光が前記ディフェクトを通過するまでの間、前記第１レーザ光の出力を下げることを特徴とする光ディスク装置の制御方法。
【手続補正２】
【補正対象書類名】明細書
【補正対象項目名】００２４
【補正方法】変更
【補正の内容】
【００２４】
請求項１記載の発明は、第１レーザ光を出射する第１光源と、第２レーザ光を出射する第２光源と、光ディスクに第１レーザ光を照射する第１対物レンズと、光ディスクに第２レーザ光を照射する第２対物レンズと、第２レーザ光の光ディスクからの反射光を受光する受光手段と、受光手段で受光した反射光からＲＦ信号を生成する信号生成手段と、反射光の光量またはＲＦ信号の振幅量を測定して光ディスク面上のディフェクト有無の検知を行うディフェクト検出手段と、第１対物レンズのトラッキング制御を行い、第１レーザ光で光ディスクに記録または再生する制御部と、を備え、制御部が、光ディスクの記録または再生する領域に、第１レーザ光に基づくスポットと第２レーザ光に基づくスポットを、第２レーザ光に基づくスポット、第１レーザ光に基づくスポットの順に通過させ、第２レーザ光に基づくスポットによりディフェクト有無の検知を行い、ディフェクトがあると判断した場合には、第１レーザ光がディフェクトを通過するまでの間、第１対物レンズのトラッキング制御を中断することを特徴とするものである。これにより、第１のレーザ光で情報の記録または再生を行う際に有害なディフェクトを事前に検知することが可能となる。そして、ディフェクト有無の検知によりディフェクト有りと判断された場合には、第１レーザ光がディフェクトを通過するまでの間、第１対物レンズのトラッキング制御を中断するので、ディフェクトの影響で情報の信頼性が低下した反射光を利用して起こるトラッキング外れを回避することができ、光ディスク上のゴミや傷や汚れなどのディフェクトが比較的大きい場合であっても、ディフェクトの影響を最小限に抑えることが可能となり、ミストラッキングが起こる確率を低減することができる。そのため、トラッキング制御におけるディフェクトの影響を受けにくくすることが可能となり、ミストラッキングが起こる確率を低減することができる光ディスク装置を実現することができる。
【手続補正３】
【補正対象書類名】明細書
【補正対象項目名】００２５
【補正方法】変更
【補正の内容】
【００２５】
請求項２記載の発明は、第１レーザ光を出射する第１光源と、第２レーザ光を出射する第２光源と、光ディスクに第１レーザ光を照射する第１対物レンズと、光ディスクに第２レーザ光を照射する第２対物レンズと、第２レーザ光の光ディスクからの反射光を受光する受光手段と、受光手段で受光した反射光からＲＦ信号を生成する信号生成手段と、反射光の光量またはＲＦ信号の振幅量を測定して光ディスク面上のディフェクト有無の検知を行うディフェクト検出手段と、第１対物レンズのトラッキング制御を行い、第１レーザ光で光ディスクに記録または再生する制御部と、を備え、制御部が、光ディスクの記録または再生する領域に、第１レーザ光に基づくスポットと第２レーザ光に基づくスポットを、第２レーザ光に基づくスポット、第１レーザ光に基づくスポットの順に通過させ、第２レーザ光に基づくスポットによりディフェクト有無の検知を行い、ディフェクトがあると判断した場合には、第１レーザ光がディフェクトを通過するまでの間、第１光源の出力を下げることを特徴とするものである。これにより、第１のレーザ光で情報の記録または再生を行う際に有害なディフェクトを事前に検知することが可能となる。そして、ディフェクト有無の検知によりディフェクト有りと判断された場合には、第１レーザ光がディフェクトを通過するまでの間、第１光源の出力を下げるので、ディフェクトの影響で情報の信頼性が低下した反射光を利用して起こるトラッキング外れを回避することができ、光ディスク上のゴミや傷や汚れなどのディフェクトが比較的大きい場合であっても、ディフェクトの影響を最小限に抑えることが可能となり、ミストラッキングが起こる確率を低減することができる。そのため、トラッキング制御におけるディフェクトの影響を受けにくくすることが可能となり、ミストラッキングが起こる確率を低減することができる光ディスク装置を実現することができる。
【手続補正４】
【補正対象書類名】明細書
【補正対象項目名】００２６
【補正方法】変更
【補正の内容】
【００２６】
請求項３記載の発明は、第２レーザ光が、第１レーザ光と異なる波長であることを特徴とするものである。これにより、ブルーレイディスク、ＤＶＤ、ＣＤなどの複数種類のディスクが使用可能である複数の異なる波長のレーザ光を発する光ディスク装置において、新たにディフェクト検知専用のレーザ光を発する発光手段を設ける必要がない。
【手続補正５】
【補正対象書類名】明細書
【補正対象項目名】００２７
【補正方法】変更
【補正の内容】
【００２７】
請求項４記載の発明は、第１レーザ光がディフェクトを通過する直前に、制御部が第１対物レンズの制御を中断することを特徴とするものである。これにより、対物レンズの制御が中断された後にミストラッキングが起こる確率を最大限に低減することが可能となる。
【手続補正６】
【補正対象書類名】明細書
【補正対象項目名】００２８
【補正方法】変更
【補正の内容】
【００２８】
請求項５記載の発明は、第１レーザ光がディフェクトを通過する直前に、制御部が第１レーザの光量を下げることを特徴とするものである。これにより、第１のレーザ光の光量が下げられた後にミストラッキングが起こる確率を最大限に低減することが可能となる。
【手続補正７】
【補正対象書類名】明細書
【補正対象項目名】００２９
【補正方法】変更
【補正の内容】
【００２９】
請求項６記載の発明は、制御部が、第２レーザ光の反射光に基づくＲＦ信号振幅または反射光レベルの少なくとも一方が所定の閾値より下回った時に、ディフェクト有りと判断することを特徴とするものである。これにより、ディフェクト検知を精度良く行うことができる。
【手続補正８】
【補正対象書類名】明細書
【補正対象項目名】００３０
【補正方法】変更
【補正の内容】
【００３０】
請求項７記載の発明は、制御部が、第１レーザ光と第２レーザ光を同時に発することを特徴とするものである。これにより、ディフェクト検知の時間短縮を図ることができる。
【手続補正９】
【補正対象書類名】明細書
【補正対象項目名】００３１
【補正方法】変更
【補正の内容】
【００３１】
請求項８記載の発明は、第１レーザ光の波長がブルーレイディスク用の波長であり、第２レーザ光の波長がＤＶＤ用もしくはＣＤ用の波長であることを特徴とするものである。これにより、ブルーレイディスク、ＤＶＤ、ＣＤなどの複数のディスクが使用可能な光ディスク装置において、ブルーレイディスクに情報の記録または再生の少なくとも一方を行う際に、ＤＶＤ用もしくはＣＤ用の記録再生に用いられるレーザ光を発する発光手段とディフェクト検知を行うレーザ光を発する発光手段を共用することができ、新たにディフェクト検知専用のレーザ光を発する発光手段を設ける必要がない。
【手続補正１０】
【補正対象書類名】明細書
【補正対象項目名】００３２
【補正方法】変更
【補正の内容】
【００３２】
請求項９記載の発明は、第１レーザ光と第２レーザ光とを発する光ディスク装置の制御方法であって、光ディスクの記録または再生する領域に、第１レーザ光に基づくスポットと第２レーザ光に基づくスポットを、第２レーザ光に基づくスポット、第１レーザ光に基づくスポットの順に通過させ、第２レーザ光に基づくスポットによりディフェクト有無の検知を行い、ディフェクトがあると判断した場合には、第１レーザ光がディフェクトを通過するまでの間、光ディスクに第１レーザ光を照射する第１対物レンズのトラッキング制御を中断することを特徴とするものである。これにより、第１のレーザ光で情報の記録または再生を行う際に有害なディフェクトを事前に検知することが可能となる。そして、ディフェクト有無の検知によりディフェクト有りと判断された場合には、第１レーザ光がディフェクトを通過するまでの間、第１対物レンズのトラッキング制御を中断するので、ディフェクトの影響で情報の信頼性が低下した反射光を利用して起こるトラッキング外れを回避することができ、光ディスク上のゴミや傷や汚れなどのディフェクトが比較的大きい場合であっても、ディフェクトの影響を最小限に抑えることが可能となり、ミストラッキングが起こる確率を低減することができる。そのため、トラッキング制御におけるディフェクトの影響を受けにくくすることが可能となり、ミストラッキングが起こる確率を低減することができる光ディスク装置の制御方法を実現することができる。
【手続補正１１】
【補正対象書類名】明細書
【補正対象項目名】００３３
【補正方法】変更
【補正の内容】
【００３３】
請求項１０記載の発明は、第１レーザ光と第２レーザ光とを発する光ディスク装置の制御方法であって、光ディスクの記録または再生する領域に、第１レーザ光に基づくスポットと第２レーザ光に基づくスポットを、第２レーザ光に基づくスポット、第１レーザ光に基づくスポットの順に通過させ、第２レーザ光に基づくスポットによりディフェクト有無の検知を行い、ディフェクトがあると判断した場合には、第１レーザ光がディフェクトを通過するまでの間、第１レーザ光の出力を下げることを特徴とするものである。これにより、第１のレーザ光で情報の記録または再生を行う際に有害なディフェクトを事前に検知することが可能となる。そして、ディフェクト有無の検知によりディフェクト有りと判断された場合には、第１レーザ光がディフェクトを通過するまでの間、第１光源の出力を下げるので、ディフェクトの影響で情報の信頼性が低下した反射光を利用して起こるトラッキング外れを回避することができ、光ディスク上のゴミや傷や汚れなどのディフェクトが比較的大きい場合であっても、ディフェクトの影響を最小限に抑えることが可能となり、ミストラッキングが起こる確率を低減することができる。そのため、トラッキング制御におけるディフェクトの影響を受けにくくすることが可能となり、ミストラッキングが起こる確率を低減することができる光ディスク装置の制御方法を実現することができる。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】